(57)【要約】【課題】  握り部の直径を大きくすることなく、トルクの測定範囲を拡大できるようにする。【解決手段】  筒状の握り部１の軸心位置に主軸２を設ける。この主軸２に渦巻きバネ３を外装して握り部１に収納する。この渦巻きバネ３の内端３ａを、主軸２に固定する。また渦巻きバネ３の外端３ｂを、握り部１に固定する。先端に、被測定物を掴むためのチャック１１を設ける。上記の渦巻きバネ３を、主軸２の長手方向に沿って握り部１内に複数設ける。【選択図】      図１
2006071468.tif 000002
【特許請求の範囲】
【請求項１】
筒状の握り部の軸心位置に主軸が設けられ、この主軸に渦巻きバネが外装されて握り部に収納され、この渦巻きバネの内端が主軸に固定されると共に、外端が握り部に固定され、先端に被測定物を掴むためのチャックが設けられているトルクゲージであって、上記の渦巻きバネが、主軸の長手方向に沿って握り部内に複数設けられていることを特徴とするトルクゲージ。
【請求項２】
請求項１記載のトルクゲージであって、渦巻きバネが２個であることを特徴とするトルクゲージ。
【請求項３】
請求項２記載のトルクゲージであって、渦巻きバネの外端の固定位置が、一方側の渦巻きバネと他方側の渦巻きバネで１８０度違えられていることを特徴とするトルクゲージ。
【発明の詳細な説明】
【技術分野】
【０００１】
本発明はトルクゲージに関し、更に詳しくは電子機器等の摘みや軸が動き始めるときのトルクを測定するためのトルクゲージに関するものである。
【背景技術】
【０００２】
従来この種のトルクゲージとしては、例えば筒状の握り部の軸心位置に主軸が設けられ、この主軸に渦巻きバネが外装されて握り部に収納され、この渦巻きバネの内端が主軸に固定されると共に、外端が握り部に固定され、先端に被測定物を掴むためのチャックが設けられているものがある（例えば特許文献１参照）。
【０００３】
ところでこの種のトルクゲージは、渦巻きバネの性能（バネ定数）によってトルクの測定範囲が決定される。従って大きなトルクを測定可能にするためには、通常、バネ定数の大きな渦巻きバネを使用する必要がある。しかしこの場合は、通常、渦巻きバネの直径が大きくなるため、握り部が太くなるのを避けられない。従って、トルクの測定範囲を大きくすると、それに伴い握り部の直径が増大して回転操作がし難くなることから、従来、トルクの測定範囲を大きくするには限界があった。
【特許文献１】特開２０００−２５８２６７号公報
【発明の開示】
【発明が解決しようとする課題】
【０００４】
本発明は、このような従来技術の問題点に鑑み、提案されたものである。
従って本発明の解決しようとする技術的課題は、握り部の直径を大きくすることなく、トルクの測定範囲を拡大できるよう形成したトルクゲージを提供することにある。
【課題を解決するための手段】
【０００５】
本発明は、上記の課題を解決するため、次のような技術的手段を採る。
即ち本発明は、図１等に示されるように、筒状の握り部１の軸心位置に主軸２が設けられ、この主軸２に渦巻きバネ３が外装されて握り部１に収納され、この渦巻きバネ３の内端３ａが主軸２に固定されると共に、外端３ｂが握り部１に固定され、先端に被測定物を掴むためのチャック１１が設けられているトルクゲージであって、上記の渦巻きバネ３が、主軸２の長手方向に沿って握り部１内に複数設けられていることを特徴とする（請求項１）。
【０００６】
本発明の場合、渦巻きバネ３の配設間隔は任意であるが、握り部１に的確に力がかかるよう、通常、渦巻きバネ３は近接して配置されているのが好ましい。また本発明は、一方の渦巻きバネ３を右巻き状態、他方の渦巻きバネ３を左巻き状態のように、渦巻きバネ３が巻回方向を異ならせて主軸２に固定されるのでも良い。また本発明の場合、渦巻きバネ３は、夫々バネ定数が同じ状態に形成される方が、トルクの測定範囲値を、容易に算出でき、組立ても容易になること等から好ましいが、これに限定されるものではない。
【０００７】
而して本発明のトルクゲージは、渦巻きバネ３が２個であるのが好ましい（請求項２）。
なぜならこれによると、握り部１の長さを抑えることができ、使い勝手が良くなるからである。
【０００８】
また請求項２記載のトルクゲージは、渦巻きバネ３の外端３ｂの固定位置が、一方側の渦巻きバネ３と他方側の渦巻きバネ３で１８０度違えられているのが好ましい（請求項３）。
なぜならこれによると、主軸２を中心にして、握り部１のバランスが良くなるからである。
【発明の効果】
【０００９】
本発明のトルクゲージは、このように筒状の握り部の軸心位置に主軸を設け、この主軸に渦巻きバネを外装して握り部に収納させ、この渦巻きバネの内端を主軸に固定すると共に、外端を握り部に固定し、先端に被測定物を掴むためのチャックを設けているトルクゲージであって、上記の渦巻きバネを、主軸の長手方向に沿って握り部内に複数設けているものである。
従って本発明によると、握り部の径を大きくしたり、大型化することなく、即ち握り部の回転操作に支障を来たすことなく、トルクの測定範囲を拡大できる。
【発明を実施するための最良の形態】
【００１０】
以下、本発明を実施するための最良の形態を説明する。
図１等において、１は筒状の握り部であり、２はこの握り部１の軸心位置に設けられている主軸である。この主軸２は、スリット２ａが長手方向に延びて形成されることにより、先端から略真ん中の位置まで、２つ割り状に形成されている。またこの主軸２の周面には、スリット２ａと略同じ長さにわたってネジ２ｂが切られ、雄ネジ状に形成されている。
【００１１】
３は、主軸２に外装されて握り部１に収納されている渦巻きバネである。この渦巻きバネ３は、主軸２の長手方向に沿って所定の間隔をあけ、２個設けられている。またこの渦巻きバネ３の内端３ａは、主軸２のスリット２ａに差し込まれて主軸２に固定されている。４は渦巻きバネ３の内端３ａの個所を押えるバネ押さえであり、５は固定用のナットである。この実施形態では、一方側の渦巻きバネ３と他方側の渦巻きバネ３の配置間隔が、主軸２に螺合させたナット部材６で調節されている。
【００１２】
７は、渦巻きバネ３の外端３ｂを固定するためのバネ受けである。このバネ受け７は、握り部１にピン８で固定されるリング状のプレート７ａと、このプレート７ａの板面の所定位置に握り部１の内周面から少し離されて起立状に固定されているピン部材７ｂと、このピン部材７ｂとプレート７ａの同じ板面側の反対位置に、プレート７ａの湾曲に沿ってプレート７ａに重合状に固定されている弧状のバランス部材７ｃとで形成されている。
【００１３】
上記のピン部材７ｂは、周面が先端から下部にわたってネジ７ｂ１が切られ、雄ネジ状に形成されていると共に、長手方向に沿ってスリット７ｂ２が入れられ、２つ割り状に形成されている。渦巻きバネ３の外端３ｂは、このスリット７ｂ２に差し込まれ、バネ押さえ９を介して先端にナット１０が螺合されることにより、２つ割り状の各片が締め付けられてピン部材７ｂに固定されている。またピン部材７ｂが設けられているプレート７ａは、上記の通り、握り部１にピン８で固定されている。従って渦巻きバネ３の外端３ｂは、この実施形態ではバネ受け７を介して握り部１に固定されている。
【００１４】
而してこの実施形態の場合、上記のピン部材７ｂは、一方側の渦巻きバネ３と、他方側の渦巻きバネ３で、夫々の外端３ｂの固定位置を１８０度違えられるよう、各バネ受け７が配置されている。具体的には、図示されるように、一方側の渦巻きバネ３と、他方側の渦巻きバネ３のバネ受け７の固定位置を、ピン部材７ｂの位置が１８０度反対側になるよう選定することにより実現されている。従ってこの実施形態では、ピン部材７ｂと共に、バランス部材７ｃも、各バネ受け７で１８０度位置が違えられ、これにより握り部１の重心の安定化が図られている。
【００１５】
１１（図１Ａ参照）は、被測定物を掴むためのチャックである。このチャック１１は、ホルダー１２を回すことで開く、３個の爪を備え、先端に設けられている。なお１３は主目盛、１４は副目盛である。また図１Ｂに示されるように、主軸２の先端には、副目盛板１５がネジ１６で固定されている。また１７は目盛の０点を示す基線、１８は透明板である。
【００１６】
次に本発明のトルクゲージの作用を説明する。
先ず使用者は、ホルダー１２を回してチャック１１の爪を開き、被測定物をできるだけ深く差し込んで、チャック１１を締め付ける。次に使用者は、握り部１を回して被測定物の起動時のトルク値を、主目盛１３、副目盛１４を読み、測定する。本発明の場合、握り部１の回転方向は、左右何れの側でも良い。この実施形態では、一方側の渦巻きバネ３と他方側の渦巻きバネ３が、巻回方向を同じ向きにして主軸２に固定されている。従って使用者が、握り部１を例えば時計方向に回すと、渦巻きバネ３は両方とも締め込まれ、握り部１から手の力を抜くと、渦巻きバネ３の復元力で握り部１が反対方向に回転して復帰する。本発明は、１個の渦巻きバネ３を備えた場合に比べ、渦巻きバネ３の個数の増加に応じて、２倍、３倍と、トルクの測定範囲が増加する。
【図面の簡単な説明】
【００１７】
【図１】本発明のトルクゲージの好適な一実施形態を示し、Ａは側面図、Ｂは要部拡大断面図である。
【図２】同上トルクゲージの要部分解斜視図である。
【図３】握り部の一部を切欠した側面図である。
【図４】主軸の一部を切欠した側面図である。
【図５】一方側の渦巻きバネに対応するバネ受けを示し、Ａは正面図、ＢはＡのＢ−Ｂ線断面図である。
【図６】他方側の渦巻きバネに対応するバネ受けを示し、Ａは正面図、ＢはＡのＢ−Ｂ線断面図である。
【符号の説明】
【００１８】
１      握り部
２      主軸
３      渦巻きバネ
３ａ    内端
３ｂ    外端
４、９      バネ押さえ
５、１０    ナット
６      ナット部材
７      バネ受け
８      ピン
１１    チャック
【図１】
2006071468.tif 000003
【図２】
2006071468.tif 000004
【図３】
2006071468.tif 000005
【図４】
2006071468.tif 000006
【図５】
2006071468.tif 000007
【図６】
2006071468.tif 000008